(57)【要約】【課題】ネットワークを用いて、現在の画像データとの差分ファイルのダウンロードを可能にするスライドショーシステムを提供する。【解決手段】端末装置６−１は、サーバ３より受け取ったマスタ画像データベース４の最終更新日時１２と、画像データベース７−１の最終更新日時１２が異なる場合、続いて、サーバ３より全画像ファイル１３の属性情報１６を受信する。端末装置６−１は、画像データベース７−１からファイル名１７に該当する画像ファイル１３の属性情報１６を検索し、受け取った属性情報１６の更新日時１８と、画像データベース７−１の属性情報１６の更新日時１８とが異なる場合、該当する画像ファイル１３の差分ファイルをサーバ３よりダウンロードする。端末装置６−１は、マスタ画像データベース４内に追加された画像ファイル１３（差分ファイル）をサーバ３よりダウンロードする。【選択図】　図２
2004094853.tif 000002
【特許請求の範囲】
【請求項１】
複数の端末装置と、サーバとがネットワークを介して接続されたシステムであって、
前記サーバは、
画像データとその属性情報を有する複数の画像ファイルを具備し、
前記端末装置は、
画像データとその属性情報を有する複数の画像ファイルと、
前記サーバ側の画像データと、前記端末装置側の画像データの更新日時を比較する手段と、
前記サーバ側の画像データの更新日時が前記端末装置の画像データの更新日時より新しい場合、当該画像データを前記サーバから受信する受信手段と、
を具備することを特徴とするスライドショーシステム。
【請求項２】
複数の端末装置と、サーバとがネットワークを介して接続されたシステムであって、
前記サーバは、
画像データとその属性情報を有する複数の画像ファイルを具備し、
前記端末装置は、
画像データとその属性情報を有する複数の画像ファイルと、
前記端末装置側の属性情報に該当する画像ファイル以外の前記サーバ側の新規作成された画像ファイルに対する当該画像データを前記サーバから受信する受信手段と、
を具備することを特徴とするスライドショーシステム。
【請求項３】
複数の端末装置と、サーバとがネットワークを介して接続されたシステムであって、
前記サーバは、
画像データとその属性情報を有する複数の画像ファイルと、複数の画像ファイル全体の最終更新日時を記憶する記憶手段を具備し、
前記端末装置は、
画像データとその属性情報を有する複数の画像ファイルと、複数の画像ファイル全体の最終更新日時を記憶する記憶手段と、
前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、
前記端末装置側の属性情報の更新日時より、前記サーバ側の該当する画像ファイルの属性情報の更新日時が新しい場合、該当する前記画像ファイルの差分ファイルを前記サーバから受信する受信手段と、
受け取った差分ファイルに基づいて、該当する前記画像ファイルの更新を行う更新手段と、
を具備することを特徴とするスライドショーシステム。
【請求項４】
複数の端末装置と、サーバとがネットワークを介して接続されたシステムであって、
前記サーバは、
画像データとその属性情報を有する複数の画像ファイルと、複数の画像ファイル全体の最終更新日時を記憶する記憶手段を具備し、
前記端末装置は、
画像データとその属性情報を有する複数の画像ファイルと、複数の画像ファイル全体の最終更新日時を記憶する記憶手段と、
前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、
前記端末装置側の属性情報に該当する画像ファイル以外の前記サーバ側の新規作成された画像ファイルに対する差分ファイルを前記サーバから受信する手段と、
受け取った差分ファイルに基づいて、前記画像ファイルの追加を行う追加手段と、
を具備することを特徴とするスライドショーシステム。
【請求項５】
前記画像ファイルは、１画像１ファイルであることを特徴とする請求項１乃至請求項４記載のスライドショーシステム。
【請求項６】
前記属性情報は、ファイル名、更新日時、格納場所等の情報を少なくとも１つ含むことを特徴とする請求項１乃至請求項４記載のスライドショーシステム。
【請求項７】
前記画像データは、スライド画像とサムネイル画像を有することを特徴とする請求項１乃至請求項４記載のスライドショーシステム。
【請求項８】
前記差分ファイルは、１画像１ファイルであることを特徴とする請求項３、又は請求項４記載のスライドショーシステム。
【請求項９】
複数の端末装置が、互いにネットワークを介して接続されたシステムであって、
前記端末装置は、
複数の画像ファイルを組み合わせて、表示させる順序を定義付けたストーリー情報を、他の端末装置に送信するストーリーエクスポート手段と、
他の端末装置からの前記ストーリー情報を受信し、保存するストーリーインポート手段と、
を具備することを特徴とするスライドショーシステム。
【請求項１０】
前記ストーリー情報は、表示する画像順に対応する画像ファイル名を並べたものであることを特徴とする請求項９記載のスライドショーシステム。
【請求項１１】
画像データとその属性情報を有する複数の画像ファイルを有するサーバと、ネットワークを介して接続された端末装置であって、
画像データとその属性情報を有する複数の画像ファイルと、
前記サーバ側の画像データと、前記端末装置側の画像データの更新日時を比較する手段と、
前記サーバ側の画像データの更新日時が前記端末装置の画像データの更新日時より新しい場合、当該画像データを前記サーバから受信する受信手段と、
を備えることを特徴とする端末装置。
【請求項１２】
画像データとその属性情報を有する複数の画像ファイルを有するサーバと、ネットワークを介して接続された端末装置であって、
画像データとその属性情報を有する複数の画像ファイルと、
前記端末装置側の属性情報に該当する画像ファイル以外の前記サーバ側の新規作成された画像ファイルに対する当該画像データを前記サーバから受信する受信手段と、
を備えることを特徴とする端末装置。
【請求項１３】
画像データとその属性情報を有する複数の画像ファイルと、複数の画像ファイル全体の最終更新日時を有するサーバと、ネットワークを介して接続された端末装置であって、
画像データとその属性情報を有する複数の画像ファイルと、複数の画像ファイル全体の最終更新日時を記憶する記憶手段と、
前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、
前記端末装置側の属性情報の更新日時より、前記サーバ側の該当する画像ファイルの属性情報の更新日時が新しい場合、該当する前記画像ファイルの差分ファイルを前記サーバから受信する受信手段と、
受け取った差分ファイルに基づいて、該当する前記画像ファイルの更新を行う更新手段と、
を備えることを特徴とする端末装置。
【請求項１４】
画像データとその属性情報を有する複数の画像ファイルと、複数の画像ファイル全体の最終更新日時を有するサーバと、ネットワークを介して接続された端末装置であって、
画像データとその属性情報を有する複数の画像ファイルと、複数の画像ファイル全体の最終更新日時を記憶する記憶手段と、
前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、
前記端末装置側の属性情報に該当する画像ファイル以外の前記サーバ側の新規作成された画像ファイルに対する差分ファイルを受信する手段と、
受け取った差分ファイルに基づいて、前記画像ファイルの追加を行う追加手段と、
を備えることを特徴とする端末装置。
【請求項１５】
前記画像ファイルは、１画像１ファイルであることを特徴とする請求項１１乃至請求項１４記載の端末装置。
【請求項１６】
前記属性情報は、ファイル名、更新日時、格納場所等の情報を少なくとも１つ含むことを特徴とする請求項１１乃至請求項１４記載の端末装置。
【請求項１７】
前記画像データは、スライド画像とサムネイル画像を有することを特徴とする請求項１１乃至請求項１４記載の端末装置。
【請求項１８】
前記差分ファイルは、１画像１ファイルであることを特徴とする請求項１３、又は請求項１４記載の端末装置。
【請求項１９】
他の端末装置と、ネットワークを介して接続された端末装置であって、
複数の画像ファイルを組み合わせて、表示させる順序を定義付けたストーリー情報を、前記他の端末装置に送信するストーリーエクスポート手段と、
前記他の端末装置からの前記ストーリー情報を受信し、保存するストーリーインポート手段と、
を備えることを特徴とする端末装置。
【請求項２０】
前記ストーリー情報は、表示する画像順に対応する画像ファイル名を並べたものであることを特徴とする請求項１９記載の端末装置。
【請求項２１】
コンピュータを請求項１１乃至請求項１４、又は請求項１９記載の端末装置として機能させるプログラム。
【請求項２２】
コンピュータを請求項１１乃至請求項１４、又は請求項１９記載の端末装置として機能させるプログラムを記録した記録媒体。
【発明の詳細な説明】
【０００１】
【発明の属する技術分野】
本発明は、ネットワークを用いたスライドショーシステムに関する。
【０００２】
【従来の技術】
従来、投影機に写真フィルムをスクリーンに投影し、写真フィルムを交換することにより、投影機を切り替えて行くスライドショーが知られている。また、昨今では、このようなスライドショーをコンピュータと専用のソフトウェアを用いてスライドショーを行うスライドショーシステムが幾つか存在する。例えば、特願平１１−２７６９４８のシステムがある。このようなスライドショーシステムは、予め、スライドショーに使用する候補の膨大なスライド画像を画像ファイル群として記憶し、その中から自分が使用したい画像だけを選択して、任意のスライドショーを行っている。
【０００３】
【発明が解決しようとする課題】
しかしながら、従来のソフトウェアでスライドショーを行うシステムでは、膨大な画像ファイルの一部の画像データを更新したり、追加する場合、最新版の画像ファイル群に更新するには、ＣＤ−ＲＯＭ等に記憶した最新の画像ファイル群に、端末装置上の画像ファイル群を記録し直さなければならず、手間と膨大な時間を要していた。
また、会社等でスライドショーシステムを使用する場合、あるユーザ（例えば、営業担当Ａ）が、営業用のスライドショー向けに、画像を自由に組み合わせて作成したストーリーを、別のユーザ（例えば、営業担当Ｂ）の端末装置でも利用させたい等の要望があった。
【０００４】
本発明は、以上の点に鑑みてなされたものであり、ネットワークを用いて、現在の画像データとの差分ファイルのダウンロードを可能するスライドショーシステムを提供することを目的とする。
【０００５】
【課題を解決するための手段】
前述した目的を達成するために第１の発明は、複数の端末装置と、サーバとがネットワークを介して接続されたシステムであって、前記サーバは、画像データとその属性情報を有する複数の画像ファイルを具備し、前記端末装置は、画像データとその属性情報を有する複数の画像ファイルと、前記サーバ側の画像データと、前記端末装置側の画像データの更新日時を比較する手段と、前記サーバ側の画像データの更新日時が前記端末装置の画像データの更新日時より新しい場合、当該画像データを前記サーバから受信する受信手段と、を具備することを特徴とするスライドショーシステムである。
【０００６】
サーバと端末装置は、それぞれ、画像データとその属性情報を有する複数の画像ファイルと、複数の画像ファイル全体の識別名（以降、製品名と称す）、最終更新日時等のヘッダ情報を保持する。画像ファイルは、１画像１ファイルのファイル形式である。属性情報は、ファイル名、更新日時、格納場所等の情報を含む。画像データは、スライド画像とサムネイル画像を含む。差分ファイルは、１画像１ファイルのファイル形式である。ストーリー情報は、表示する画像順に対応する画像ファイル名を並べたものである。
【０００７】
第１の発明では、サーバは、画像データとその属性情報を有する複数の画像ファイルを有し、端末装置は、画像データとその属性情報を有する複数の画像ファイルを有し、端末装置は、サーバ側の画像データと、端末装置側の画像データの更新日時を比較し、サーバ側の画像データの更新日時が端末装置の画像データの更新日時より新しい場合、当該画像データをサーバから受信する。
【０００８】
また、第２の発明は、複数の端末装置と、サーバとがネットワークを介して接続されたシステムであって、前記サーバは、画像データとその属性情報を有する複数の画像ファイルを具備し、前記端末装置は、画像データとその属性情報を有する複数の画像ファイルと、前記端末装置側の属性情報に該当する画像ファイル以外の前記サーバ側の新規作成された画像ファイルに対する当該画像データを前記サーバから受信する受信手段と、を具備することを特徴とするスライドショーシステムである。
【０００９】
第２の発明では、サーバは、画像データとその属性情報を有する複数の画像ファイルを有し、端末装置は、画像データとその属性情報を有する複数の画像ファイルを有し、端末装置は、端末装置側の属性情報に該当する画像ファイル以外のサーバ側の新規作成された画像ファイルに対する当該画像データをサーバから受信する。
【００１０】
また、第３の発明は、複数の端末装置と、サーバとがネットワークを介して接続されたシステムであって、前記サーバは、画像データとその属性情報を有する複数の画像ファイルと、複数の画像ファイル全体の最終更新日時を記憶する記憶手段を具備し、前記端末装置は、画像データとその属性情報を有する複数の画像ファイルと、複数の画像ファイル全体の最終更新日時を記憶する記憶手段と、前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、前記端末装置側の属性情報の更新日時より、前記サーバ側の該当する画像ファイルの属性情報の更新日時が新しい場合、該当する前記画像ファイルの差分ファイルを前記サーバから受信する受信手段と、受け取った差分ファイルに基づいて、該当する前記画像ファイルの更新を行う更新手段と、を具備することを特徴とするスライドショーシステムである。
【００１１】
第３の発明では、端末装置は、画像データとその属性情報を有する複数の画像ファイルと、複数の画像ファイル全体の最終更新日時を記憶し、サーバは、画像データとその属性情報を有する複数の画像ファイルと、複数の画像ファイル全体の最終更新日時を記憶する。端末装置は、画像ファイルの更新要求に応じて、端末装置側の最終更新日時より、サーバから受け取ったサーバ側の最終更新日時が新しい場合、サーバから全ての画像ファイルの属性情報を受信し、端末装置側の属性情報の更新日時より、サーバ側の該当する画像ファイルの属性情報の更新日時が新しい場合、該当する画像ファイルの差分ファイルをサーバから受信し、受け取った差分ファイルに基づいて、該当する画像ファイルの更新を行う。
【００１２】
また、第４の発明は、複数の端末装置と、サーバとがネットワークを介して接続されたシステムであって、前記サーバは、画像データとその属性情報を有する複数の画像ファイルと、複数の画像ファイル全体の最終更新日時を記憶する記憶手段を具備し、前記端末装置は、画像データとその属性情報を有する複数の画像ファイルと、複数の画像ファイル全体の最終更新日時を記憶する記憶手段と、前記画像ファイルの更新要求に応じて、前記端末装置側の最終更新日時より、前記サーバより受け取った前記サーバ側の最終更新日時が新しい場合、前記サーバから全ての画像ファイルの前記属性情報を受信する受信手段と、前記端末装置側の属性情報に該当する画像ファイル以外の前記サーバ側の新規作成された画像ファイルに対する差分ファイルを受信する手段と、受け取った差分ファイルに基づいて、前記画像ファイルの追加を行う追加手段と、を具備することを特徴とするスライドショーシステムである。
【００１３】
第４の発明では、端末装置は、画像データとその属性情報を有する複数の画像ファイルと、複数の画像ファイル全体の最終更新日時を記憶し、サーバは、画像データとその属性情報を有する複数の画像ファイルと、複数の画像ファイル全体の最終更新日時を記憶する。端末装置は、画像ファイルの更新要求に応じて、端末装置側の最終更新日時より、サーバから受け取ったサーバ側の最終更新日時が新しい場合、端末装置から全ての画像ファイルの属性情報を受信し、端末装置の属性情報に該当する画像ファイル以外のサーバ側の新規作成された画像ファイルに対する差分ファイルを受信する。端末装置は、受け取った差分ファイルに基づいて、画像ファイルの追加を行う。
【００１４】
また、第５の発明は、複数の端末装置が、互いにネットワークを介して接続されたシステムであって、前記端末装置は、複数の画像ファイルを組み合わせて、表示させる順序を定義付けたストーリー情報を、他の端末装置に送信するストーリーエクスポート手段と、他の端末装置からの前記ストーリー情報を読み込み、保存するストーリーインポート手段と、を具備することを特徴とするスライドショーシステムである。
【００１５】
第５の発明では、端末装置は、複数の画像ファイルを組み合わせて、表示させる順序を定義付けたストーリー情報を、ネットワークを介して、他の端末装置に送信し、他の端末装置からのストーリー情報を受信し、保存する。
【００１６】
【発明の実施の形態】
以下、図面に基づいて本発明の本実施の形態を詳細に説明する。図１は、本実施の形態に係るスライドショーシステム１の概略構成を示す図である。スライドショーシステム１は、ネットワークを用いて、サーバ側から、画像データの差分ファイルをダウンロードし、画像データベースを更新するものである。また、スライド画像を自由に組み合わせて作成したストーリー情報を、各端末装置間でインポート／エクスポートし、データを共有するものである。尚、本明細書において、「ストーリー情報」とは、スライドショーにおけるスライド画像の表示順序を定義した情報である。
【００１７】
図１に示すように、スライドショーシステム１は、サーバ３、複数のクライアント５−１、５−２、…の端末装置６−１、６−２、…、ネットワーク９等からなる。スライドショーシステム１は、例えばインターネットなどのネットワーク９を介して、サーバ３と、クライアント５−１、５−２、…の端末装置６−１、６−２、…とが接続されて構成される。
【００１８】
サーバ３は、マスタ画像データベース４を有する。端末装置６は、ネットワーク９を介して、マスタ画像データベース４の更新、追加された画像ファイルの差分ファイルをサーバ３から受信する。マスタ画像データベース４には、画像データとその属性情報を有する複数の画像ファイルと、複数の画像ファイル全体のヘッダ情報を保持する。
【００１９】
クライアント５−１、５−２、…は、スライドショーを行う利用者であり、端末装置６−１、６−２、…は、画像データベース７−１、７−２、…と、スライドショー実行プログラム８−１、８−２、…等を有する。端末装置６は、スライドショー実行プログラム８を実行することにより、画像データベース７に記録されている画像を用いて、スライドショーを制御し、サーバ３から受信した差分ファイルを取り込み、画像データベース７を更新、追加する。尚、端末装置６は、パーソナルコンピュータ、携帯型端末機等である。スライドショー実行プログラム８は、ＣＤ−ＲＯＭ、又はサーバ３より、メモリに読み込まれる。
【００２０】
画像データベース７には、画像データとその属性情報を有する複数の画像ファイルと、複数の画像ファイル全体のヘッダ情報を保持する。
【００２１】
次に、サーバ３のマスタ画像データベース４、端末装置６−１、６−２、…の画像データベース７−１、７−２、…のデータ構造について詳しく説明する。図２は、マスタ画像データベース４、画像データベース７−１、７−２、…のデータ構造２０を示す。
【００２２】
図２に示すように、マスタ画像データベース４と画像データベース７は共に、同様のデータ構造であり、ヘッダ情報１０、複数の画像ファイル１３等からなる。ヘッダ情報１０は、データベース全体の制御情報であり、製品名１１、最終更新日時１２等からなる。製品名１１は、画像ファイル１３全体を識別する名称を示す。最終更新日時１２は、複数の画像ファイル１３のいずれかを更新／追加した最終日時である。
【００２３】
画像ファイル１３は、１画像１ファイルの形式で記録されており、サムネイル画像データ１４、スライド画像データ１５、属性情報１６等からなる。サムネイル画像データ１４は、スライドを選択する際のスライド一覧用のデータ量の小さな画像データである。スライド画像データ１５は、スライドショーを行う際の画像データである。属性情報１６は、画像ファイルの各種属性を示し、ファイル名１７、更新日時１８、格納場所１９等の情報を含む。ファイル名１７は、画像ファイル１３のファイル名である。更新日時１８は、画像ファイル１３の画像データを更新した日時である。
【００２４】
次に、スライドショーシステム１の機能概要を説明する。図３は、ストーリー制御画面２１を示す。図４は、スライド一覧画面４０を示す。
【００２５】
図３に示すように、端末装置６−１は、スライドショー実行プログラム８−１を実行することにより、ストーリー制御画面２１を表示する。ストーリー制御画面２１は、製品選択リスト２２、製品ストーリー一覧２４、ストーリー制御を行うストーリー保存ボタン２９、ストーリー読込みボタン２８、ストーリー再生ボタン３１、ストーリー編集ボタン３２、ストーリー作成ボタン３３、ストーリー複製ボタン３４、ストーリー削除ボタン３５、スライド管理ボタン３６等からなる。
【００２６】
端末装置６−１は、製品選択リスト２２の画像データベース７−１の内容を表す製品名２３を選択することにより、製品名２３で識別される画像ファイル群とのインタフェースを揃える。例えば、製品名２３“ＤＮＰ錠”を選択すると、医薬関係の製品のプレゼンテーションを行う画像ファイル群が選択される。
【００２７】
製品ストーリー一覧２４は、自作ストーリー２５、固定ストーリー２７等からなり、それぞれ１製品あたり１０個保存できる。尚、ストーリーとは、スライドショーにおけるスライド画像の表示順序を定義したストーリー情報である。自作ストーリー２５は、画像（静止画、又は動画）を自由に組み合わせたストーリーである。固定ストーリー２７は、システムや製品の管理者により、予め、組み合わせたストーリーである。ストーリー名２６は、作成した自作ストーリーのストーリー名であり、ストーリー名２８は、固定ストーリーのストーリー名である。
【００２８】
端末装置６−１は、ストーリー再生ボタン３１、ストーリー編集ボタン３２、ストーリー作成ボタン３３、ストーリー複製ボタン３４、ストーリー削除ボタン３５等により、ストーリーの再生、編集、作成、コピー、削除等を行う。
【００２９】
端末装置６−１は、例えば、ストーリー作成ボタン３３やストーリー複製ボタン３４をクリックすることにより、画像データベース７−１の画像ファイルを読み込んで、図４に示すような、スライド一覧画面４０を表示する。
【００３０】
スライド一覧画面４０は、項目タブ４１、スライドタイトル４２、サムネイル４３−１、４３−２、…、編集バー４４、設定サムネイル４５−１、４５−２、…、ストーリープレビューボタン４６、初期化ボタン４７、保存ボタン４８、戻るボタン４９等の操作ボタン等からなる。
【００３１】
スライド一覧画面４０は、大きく２つに分かれており、各項目タブ４１毎の動画、静止画等のスライド画像をサムネイル化したデータ量の小さいサムネイル画像であるサムネイル４３−１、４３−２、…の表示域と、ストーリーを組み立てる編集バー４４の表示域とから構成される。例えば、図４に示すように、“ガイドライン”、“各種疾患”、“薬剤データ”…等の項目タブ４１から“薬剤データ”を選択すると、その関連のサムネイル画像であるサムネイル４３−１、４３−２、４３−３が表示される。尚、サムネイル４３は、１画面に最大２０画像表示される。
【００３２】
編集バー４４には、設定した設定サムネイル４５が６つ表示可能であり、各設定サムネイル４５の左側の数字の順にスライドショーが行われる。例えば、端末装置６−１は、オペレータにより、候補のサムネイル４３−３を、編集バー４４の３番目に設定サムネイル４５−３としてドラッグ＆ドロップし設定する。編集バー４４では、設定サムネイル４５−１、４５−２、４５−３、４５−４の４つの画像が上から順に表示される。
【００３３】
端末装置６−１は、スライド一覧画面４０のストーリープレビューボタン４６をクリックすることにより、編集バー４４に設定した順に、該当するスライド画像を表示し、ストーリーをプレビューする。端末装置６−１は、初期化ボタン４７をクリックすることにより、編集バー４４を初期化し、空にする。端末装置６−１は、保存ボタン４８をクリックすることにより、作成したスライド組み合わせを保存する。端末装置６−１は、戻るボタン４９をクリックすることにより、作成したスライド組み合わせを保存しないで戻り、前回編集したままの状態とする。
【００３４】
次に、ストーリー編集機能について説明する。図５は、ストーリー編集機能を示す。図５に示すように、端末装置６−１は、スライド一覧画面５０の編集バー４４内の設定サムネイル４５のドラッグ＆ドロップにより、並び順を変更する（ステップ５３）。例えば、設定サムネイル４５−３を設定サムネイル４５−４の下にドラッグ＆ドロップし、並び順を変更する。
【００３５】
端末装置６−１は、スライド一覧画面５１に示すように、編集バー４４から外へ設定サムネイル４５をドラッグ＆ドロップすることにより、スライドを削除する（ステップ５４）。例えば、設定サムネイル４５−４を編集バーの外へドラッグ＆ドロップし、削除する。
【００３６】
端末装置６−１は、設定サムネイル４５、又はサムネイル４３をダブルクリックすることにより、該当するスライド画像をプレビューする（ステップ５５）。例えば、設定サムネイル４５−２をダブルクリックすることにより、そのスライド画像のスライドプレビュー画面５２を表示する。
【００３７】
また、端末装置６−１は、削除ボタンにより、不要になった、又はめったに使用しない製品を削除する。尚、この場合でも、自作ストーリー、自作インポートスライドは削除されない。また、端末装置６−１は、スライド再生時、解説文をクリックすると、スライド解説文のテキストが、最大６００文字まで表示される。また、端末装置６−１は、印刷ボタン（図示せず）をクリックすると、スライドや解説文を印刷する。
【００３８】
次に、スライド再生、及びスライドの演出について説明する。端末装置６−１は、ストーリー再生ボタンにより、選択した自作ストーリー２５、又は固定ストーリー２７に従って、スライドを再生する。図６は、スライドの演出６０を示す。図６に示すように、端末装置６−１は、スライド再生時に、スライドの演出機能として、アニメーションと、別ウィンドウ表示を有する。図６（ａ）に示すように、端末装置６−１は、ストーリーに従って、スライド再生時に、スライド表示後、予め設定したアニメーションを順次表示する。例えば、端末装置６−１は、予め、スライド画面６１−２に示すようなある調査データのグラフの画像に、下線データを加えたグラフを重ねるアニメーションを設定しておく。端末装置６−１は、ストーリーに従って、スライド画面６１−１、スライド画面６１−２と、順次表示後、下線データを加えたグラフに変化するアニメーションを付加するスライド画面６１−２´を表示する。
【００３９】
また、図６（ｂ）に示すように、予め、任意のスライドに、別のスライド画像を表示する追加機能ボタン６２を設定しておく。端末装置６−１は、スライド再生時、該当スライドを表示し、追加機能ボタン６２をクリックすると、設定した別ウィンドウ６３を表示する。例えば、端末装置６−１は、スライド画面６１−３に示すような医薬品関連の調査データである任意の折れ線グラフのスライドに対して、投与方法、投与時間等を説明する別ウィンドウを表示する“投与時間”という追加機能ボタン６２を設定しておくと、スライド再生時、スライド画面６１−３を表示し、追加機能ボタン６２である“投与時間”をクリックすると、投与方法、投与時間等を説明した別ウィンドウ６３を表示する。
【００４０】
次に、本発明の特徴点である、サーバ３から端末装置６−１への、ネットワーク９を介した、スライドの画像データの追加、更新処理の処理手順を詳しく説明する。図７、図８は、スライドの画像データの追加、更新処理の処理手順を示すフローチャートである。図９は、スライドの画像データの追加、更新の処理の流れを示す。
【００４１】
図７に示すように、端末装置６−１は、ストーリー制御画面２１にて、スライド管理ボタン３６をクリックすることにより（ステップ２０１）、画像データベース７−１のヘッダ情報１０を抽出する（ステップ２０２）。端末装置６−１は、スライドの画像データの更新要求、及び製品名１１、最終更新日時１２等を含むヘッダ情報１０を、サーバ３より受信する（ステップ２０３）。
【００４２】
端末装置６−１は、サーバ３から受け取った製品名１１に応じたマスタ画像データベース４内のヘッダ情報１０の最終更新日時１２と、画像データベース７の最終更新日時１２とを比較する（ステップ２０４）。最終更新日時１２が等しい場合（ステップ２０５）、端末装置６−１は、“追加、更新データなし”のメッセージ画面データを表示し（ステップ２０６）、処理を終了し、ストーリー制御画面２１に戻る。
【００４３】
最終更新日時１２が等しくない場合、端末装置６−１は、ダウンロード画面７１を表示する（ステップ２０７）。
【００４４】
図８に示すように、端末装置６−１は、サーバ３よりマスタ画像データベース４の全画像ファイル１３の属性情報１６を受信する（ステップ３０１）。端末装置６−１は、画像データベース７から、現属性情報のファイル名１７に該当する画像ファイル１３の属性情報１６を検索、抽出する（ステップ３０２）。端末装置６−１側の属性情報１６の更新日時１８と、マスタ画像データベース４の属性情報１６の更新日時１８は等しい場合（ステップ３０３）、更新する必要がなく、ステップ３０２に移行し、次の属性情報のチェック処理を行う。
【００４５】
更新日付が等しくない場合、端末装置６−１は、サーバ３より該当する画像ファイル１３の差分ファイルを受信（ダウンロード）する（ステップ３０４）。
【００４６】
端末装置６−１は、受信した属性情報を全て比較終了していない場合（ステップ３０５）、ステップ３０２に移行し、次の属性情報のチェック処理を行う。
【００４７】
端末装置６−１は、受信した属性情報を全て比較終了した場合、属性情報から示される画像ファイル１３以外のマスタ画像データベース４内の追加されたスライドの画像ファイル１３（差分ファイル）をサーバ３より受信（ダウンロード）する（ステップ３０６）。
【００４８】
端末装置６−１は、受信した差分ファイル群を、順次、画像データベース７−１の該当する画像ファイル１３のサムネイル画像データ１４、スライド画像データ１５、及び属性情報１６に展開し、画像ファイル１３の更新、画像ファイル１３の追加を行う（ステップ３０７）。
【００４９】
図９に示すように、端末装置６−１は、ダウンロード後、スライド一覧画面４２を表示すると、スライド更新、追加した画像データベース７−１に基づいて、例えば、スライドが更新、又は追加されたスライド一覧画面７２が表示される。スライドの画像ファイルの追加、更新前の図４のスライド一覧画面４０と比較すると、スライド一覧画面７２は、サムネイル４３−３、設定サムネイル４５−３等の更新スライド７３とサムネイル４３−４、サムネイル４３−５等の追加スライド７４を有する。更新スライド７３は、設定サムネイル４５−３に示されるように、ストーリーにも反映される。
【００５０】
次に、端末装置６−１、７−２、…間の、ストーリー情報のインポート、エクスポートについて説明する。図１０は、ストーリーのインポート８０の処理の流れを示す。端末装置６−１、７−２、…間は、ネットワーク９を介して、ストーリー情報のインポート、エクスポートを行う。
【００５１】
端末装置６−１は、ストーリー制御画面２１のストーリー読込みボタン３０をクリックし（ステップ９１）、インポートする端末装置６−２、ストーリー名（ファイル名）を指定することにより（ステップ９２）、ストーリーインポート画面８１を表示し、ネットワーク９を介して、ストーリー情報をインポート（受信）する。端末装置６−１は、受信したストーリー情報を、自作ストーリーとして追加登録する（ステップ９３）。尚、ストーリー情報とは、編集バー４４で、スライドショーにおけるスライド画像の表示順序を定義した情報である。例えば、ストーリー制御画面８２に示すように、インポートストーリー８３は自作ストーリーの３番目に登録される。
【００５２】
同様にして、端末装置６−１は、ストーリー保存ボタン２９をクリックし、相手の端末装置６−２、エクスポートする自分のストーリー名（ファイル名）を指定することにより、ネットワーク９を介して、端末装置６−２へストーリー情報をエクスポート（送信）する。
【００５３】
以上説明したように、本実施の形態によれば、端末装置６−１は、サーバ３より受け取った製品名に応じたマスタ画像データベース４のヘッダ情報１０の最終更新日時１２と、画像データベース７−１の最終更新日時１２とを比較し、等しくない場合、端末装置６−１は、続いて、マスタ画像データベース４内の全画像ファイル１３の属性情報１６をサーバ３より受信する。端末装置６−１は、画像データベース７−１から、受信した属性情報のファイル名１７に該当する画像ファイルの属性情報１６を検索し、端末装置６−１側の属性情報１６の更新日時１８と、マスタ画像データベース４側の属性情報１６の更新日時１８が等しくない場合、該当する画像ファイル１３の差分ファイルをダウンロードする。また、端末装置６−１は、サーバ３よりマスタ画像データベース４内の新規スライドの画像ファイル１３（差分ファイル）をダウンロードする。端末装置６−１は、受信した差分ファイル群を、順次、画像データベース７−１の該当する画像ファイル１３に展開し、画像ファイル１３を更新する、又は新規のスライドに対しては、画像ファイルの追加を行う。
【００５４】
また、端末装置６−１、７−２、…間で、ネットワーク９を介して、ストーリー情報のインポート、エクスポートを行う。
【００５５】
これにより、最新のスライドの画像ファイルに更新するのに、現在のデータとの差分ファイルのみを、ネットワーク９を介してダウンロードすることにより、処理時間が削減され、容易に更新することができる。また、端末装置間でストーリー情報のインポート、エクスポートを行うことにより、クライアント間のデータの共有を容易に可能にする。
【００５６】
尚、本実施の形態では、サーバ３から端末装置６に更新の必要な画像データの差分ファイルをダウンロードしたが、差分ファイルをＣＤ−ＲＯＭ等の記録媒体に記憶し、その記録媒体を端末装置６に配布し、画像データベース７に取り込み、更新してもよい。
【００５７】
また、図７、図８に示す処理を行うプログラムはＣＤ−ＲＯＭ等の記録媒体に保持させて流通させてもよいし、このプログラムを通信回線を介して送受することもできる。
【００５８】
【発明の効果】
以上、詳細に説明したように本発明によればネットワークを用いて、現在の画像データとの差分ファイルのダウンロードを可能にするスライドショーシステムを提供することができる。
【図面の簡単な説明】
【図１】本実施の形態に係るスライドショーシステム１の概略構成を示す図
【図２】マスタ画像データベース４、画像データベース７−１、７−２、…のデータ構造２０示す図
【図３】ストーリー制御画面２１を示す図
【図４】スライド一覧画面４０を示す図
【図５】ストーリー編集機能を示す図
【図６】スライドの演出６０を示す図
【図７】スライドの画像データの追加、更新処理の処理手順を示すフローチャート
【図８】スライドの画像データの追加、更新処理の処理手順を示すフローチャート
【図９】スライドの画像データの追加、更新７０の処理の流れを示す図
【図１０】ストーリーのインポート８０の処理の流れを示す図
【符号の説明】
１………スライドショーシステム
３………サーバ
４………マスタ画像データベース
５………クライアント
６………端末装置
７………画像データベース
８………スライドショー実行プログラム
９………ネットワーク
【図１】
2004094853.tif 000003
【図２】
2004094853.tif 000004
【図３】
2004094853.tif 000005
【図４】
2004094853.tif 000006
【図５】
2004094853.tif 000007
【図６】
2004094853.tif 000008
【図７】
2004094853.tif 000009
【図８】
2004094853.tif 000010
【図９】
2004094853.tif 000011
【図１０】
2004094853.tif 000012